(57)【要約】【課題】グレンタンクの容量を小さくすることなく、ロック機構を構成する。【解決手段】脱穀部２の側方に在って揚穀筒１７から穀粒を収容するグレンタンク１を、ロック機構５のロック解除により穀粒収納姿勢から回動姿勢に切換える収穫機である。前記ロック機構５を、揚穀筒１７に設けたロック部２０と、グレンタンク１に設けられかつ前記ロック部２０と係脱する係合手段２６と、ロック解除手段５ａとから構成する。このロック解除手段５ａを、係合手段２６に接続した連結手段２９と、グレンタンク１の外側に設置されかつグレンタンク１の下方に通した連結手段２９を介して前記係合手段２６を操作する操作レバー２８とから形成する。【選択図】        図５
2004194611.tif 000002
【特許請求の範囲】
【請求項１】
脱穀部２の側方に設置され、かつ、揚穀筒１７から穀粒を収容するグレンタンク１を、ロック機構５のロック解除によって穀粒収納姿勢から回動姿勢に切り換える収穫機において、前記ロック機構５を、
前記揚穀筒１７に設けたロック部２０と、
前記グレンタンク１に設けられ、かつ、前記ロック部２０と係脱可能に係合する係合手段２６と、
該係合手段２６に接続された連結手段２９と、前記グレンタンク１の外側に設置され、かつ、グレンタンク１の下方に通した前記連結手段２９を介して前記係合手段２６を操作する操作レバー２８とから成るロック解除手段５ａと、から形成したことを特徴とする収穫機のグレンタンクロック構造。
【発明の詳細な説明】
【０００１】
【発明の属する技術分野】
本発明は、コンバインやハーベスタなどの収穫機に搭載されているグレンタンクのロック機構に関するものである。
【０００２】
【従来の技術】
従来、コンバインに搭載されたグレンタンクは、その後部側に設けた回動支点を中心にしてその前部側を機体側方（機台フレーム横方）に向けて回動自在に支持されている。また、グレンタンクの固定と解除とを司るロック機構は、操縦部のエンジンルーム後壁とグレンタンク前壁との間にある空間部に設置されている（例えば、特許文献１参照。）。
【０００３】
【特許文献１】
特開２００１−３２０９５１号公報（第３頁、図１）
【０００４】
【発明が解決しようとする課題】
しかし、従来の収穫機のグレンタンクロック機構は、脱穀部の機壁に設けたロック部に係合する係合手段と、当該係合手段を、リンク式の連結手段を介してロック解除する操作レバーとをグレンタンクの前壁側にまとめて設置した構造にしているため、グレンタンクの前壁側の空間部が大きくなる分、グレンタンクの長さが短くなってタンク容量が小さくなる、という問題があった。更に、ロック機構を構成する脱穀部や、グレンタンクの側壁などを補強構造とする必要があるなど、構造が複雑で高コストになる、という問題があった。
【０００５】
【課題を解決するための手段】
本発明は、このような従来の問題を解消するためになされたものであって、脱穀部２の側方に設置され、かつ、揚穀筒１７から穀粒を収容するグレンタンク１を、ロック機構５のロック解除によって穀粒収納姿勢から回動姿勢に切り換える収穫機において、前記ロック機構５を、前記揚穀筒１７に設けたロック部２０と、前記グレンタンク１に設けられ、かつ、前記ロック部２０と係脱可能に係合する係合手段２６と、該係合手段２６に接続された連結手段２９と、前記グレンタンク１の外側に設置され、かつ、グレンタンク１の下方に通した前記連結手段２９を介して前記係合手段２６を操作する操作レバー２８とから成るロック解除手段５ａと、から形成したことを特徴とする収穫機のグレンタンクロック構造である。
【０００６】
【発明の実施の形態】
以下、図面を参照しながら本発明の実施の形態について説明する。
【０００７】
図１において、１は、図示しないコンバインの刈取部の後方で、かつ、脱穀部２の側方（真横）に配置されたグレンタンクである。このグレンタンク１は、ロック機構５のロック解除により、機体後部に立設させた穀粒排出オーガ４ａ（図２参照）の縦揚穀筒４を回転支点又は回転軸にして穀粒収容姿勢から回動姿勢に切り替わるので、回動姿勢時において、グレンタンク１を側方（機台フレーム１ａの横側）に開くと、グレンタンク１及び脱穀部２のメンテナンス作業を行なうことができる。図１中、３は、操縦部を示している。
【０００８】
図５に示すように、グレンタンク１は、底板６によってＶ字形に形成された底部内に穀粒横送ラセンを沿設しており、その前端側に設けた伝動プーリ７（図６参照）をベルト７ａによって駆動すると共に、上記穀粒排出オーガ４ａを駆動するように成っている。
【０００９】
このグレンタンク１は、前壁２ａ、後壁２ｂ、左壁（内側壁）２ｃ、右壁（外側壁）２ｄ、底板６、天板２ｅによって形成された一体形の中空容器となっている。更に、グレンタンク１は、その左壁２ｃに収容穀粒の位置検知を行なうための穀粒センサ８を複数段設けている。これらの穀粒センサ８は、グレンタンク１の外側から着脱自在に取り付けられ、外部からメンテナンス作業や、組り付け作業などを行なうことができる構造になっている（図５参照）。
【００１０】
上記の縦揚穀筒４は、図３に示すように、口蓋９ｂの手前側を下方に押し下げて縦揚穀筒４の下部に接続している横送ケース９の穀粒排出口９ａを開口させると、中に詰まっている穀粒の排出や、タンク内の残留穀粒の排出などを行なうことができるようになっている。
【００１１】
図中、９ｃは、機台フレーム１ａに取り付けたへ字形の蓋ガイドである。この蓋ガイド９ｃは、縦揚穀筒４を回動支点にしてグレンタンク１を回動させた時に、閉め忘れによって下方に垂れ下がったままの口蓋９ｂを機台フレーム１ａに接当させることなく、上方に向けて誘導案内することができ、以て、口蓋９ｂの破損を防ぐことができる。
【００１２】
図４において、１０は、図示しない側面カバーを取り付けるための取付杆であり、グレンタンク１の底板６に固定させた一対の取付片１１，１１に支持されている。そして、その中間部は、グレンタンク１を回動させる時の把手として使用可能になっている。
【００１３】
また、図４に示すように、グレンタンク１の前壁２ａの中途部には、可撓性を有する閉じ板１２が設けられているが、この閉じ板１２は、図１のように、操縦部３の後部に位置しているエンジンルーム１３の後部カバー１４と、グレンタンク１の前壁２ａとの間にある間隙部を閉じるように構成されている。
【００１４】
この閉じ板１２は、それ自身が撓むので、グレンタンク１の回動を妨げることがない。１５は、図１に示す如く、エンジンルーム１３の後部カバー１４の奥側に設けた可撓性を有する閉じ板である。
【００１５】
従って、エンジンルーム１３の後部から上昇する熱気は、これらの閉じ板１２及び１５によって阻止されるため、操縦部３側への熱気の移動を遮蔽することができる。
【００１６】
また、図５に示すように、グレンタンク１は、内側壁２ｃに開口した供給孔１６と、脱穀部２から立設した揚穀筒１７の穀粒供給部１８とを接離可能に接続し、穀粒を脱穀部２からグレンタンク１内に供給するように成っている。
【００１７】
次に、上記のロック機構５について、更に詳しく説明する。
【００１８】
このロック機構５は、ロック部２０と、係合手段２６と、ロック解除手段５ａとから形成されている。
【００１９】
ロック部２０は、図７に示すように、ピン形に形成され、揚穀筒１７の中途部に設けた取付板１９に取り付けられている。
【００２０】
係合手段２６は、ピン形のロック部２０に係合する係合孔２１を有すると共に、グレンタンク１の内側壁２ｃに取り付けられた係合片２２と、この係合片２２に取付ピン２３を介して上下回動自在に設けられ、かつ、スプリング２４によって上方に付勢されているロック片２５とから形成されている。
【００２１】
ロック解除手段５ａは、図６に示すように、グレンタンク１の右壁（外側壁）２ｄの底板６に設けた支持板３２に取付ピン２７によって回動操作自在に取り付けられた操作レバー２８と、上記ロック片２５に取り付けられたロッド部３３と、グレンタンク１の下を通って操作レバー２８とロッド部３３とを互いに連結させたワイヤ又はリンクなどの連結手段２９とから形成されている。
【００２２】
一方、図６に示すように、操作レバー２８の近傍には、グレンタンク１側に上下操作自在に支持された固定レバー３０が設けられている。この固定レバー３０は、その下端が機台１ａに穿設した固定孔３１に抜き差し可能に挿入されている。
【００２３】
本発明のロック機構５は、上記のように形成されているから、操作レバー２８を上方に回動すると、連結手段２９を介して係合手段２６のロック片２５が取付ピン２３を中心にして下方に回動してロック機構５のロックが解除されるので、把手を兼用している取付杆１０を把持してグレンタンク１を機体側方側（機台フレーム１ａの横方側）に引くと、グレンタンク１が縦揚穀筒４を回転支点にして同方向に回動し、メンテナンス作業姿勢となる。
【００２４】
尚、グレンタンク１の回動に先立って、予め、固定レバー３０を上動して固定孔３１から抜き出すと共に、ベルト７ａを伝動プーリ７から外して置く。
【００２５】
メンテナンス作業完了後、グレンタンク１を初期状態に押し戻すと、ピン状のロック部２０がロック片２５をスプリング２４に抗し下方へ回動させ、係合片２２の係合孔２１と係合する。そして、ロック片２５の復帰によってグレンタンク１が位置決めされる。このとき、固定レバー３０も手動で復帰させる。また、グレンタンク１の供給孔１６と揚穀筒１７の穀粒供給部１８とは接当し、再び、穀粒収容姿勢となる。
【００２６】
【発明の効果】
上記のように、本発明の収穫機のグレンタンクロック構造は、脱穀部２の側方に設置され、かつ、揚穀筒１７から穀粒を収容するグレンタンク１を、ロック機構５のロック解除によって穀粒収納姿勢から回動姿勢に切り換える収穫機において、前記ロック機構５を、前記揚穀筒１７に設けたロック部２０と、前記グレンタンク１に設けられ、かつ、前記ロック部２０と係脱可能に係合する係合手段２６と、該係合手段２６に接続された連結手段２９と、前記グレンタンク１の外側に設置され、かつ、グレンタンク１の下方に通した前記連結手段２９を介して前記係合手段２６を操作する操作レバー２８とから成るロック解除手段５ａと、から形成されている。
【００２７】
すなわち、本発明は、ロック機構５を形成しているロック部２０と係合手段２６とを、脱穀部２とグレンタンク１間の空間部に位置している揚穀筒１７にまとめて設置し、更に、ロック解除手段５ａを形成している操作レバー２８を、操作し易い機体外側に設けると共に、前記係合手段２６と操作レバー２８とをグレンタンク１の下方に通した連結手段２９により連結させているので、ロック機構をグレンタンク１の前壁に設けた従来品の如く、グレンタンク長が短くなることが無く、以て、穀粒の収容量を増大させることができる。また、ロック部２０は、剛性的に立設された揚穀筒１７に設けられているので、ロック機構５の構造を簡潔で、かつ、廉価にすることができる。
【図面の簡単な説明】
【図１】コンバインのグレンタンクの配置を示す平面図である。
【図２】グレンタンクの後方の構造を示す斜視図である。
【図３】図２のＸ部の拡大図である。
【図４】グレンタンクの側面側の斜視図である。
【図５】グレンタンクの背面側の斜視図である。
【図６】図４のＹ部の拡大図である。
【図７】図５のＺ部の拡大図である。
【符号の説明】
１      グレンタンク
２      脱穀部
５      ロック機構
５ａ    ロック解除手段
１７    揚穀筒
２０    ロック部
２６    係合手段
２８    操作レバー
２９    連結手段
【図１】
2004194611.tif 000003
【図２】
2004194611.tif 000004
【図３】
2004194611.tif 000005
【図４】
2004194611.tif 000006
【図５】
2004194611.tif 000007
【図６】
2004194611.tif 000008
【図７】
2004194611.tif 000009